(57)【要約】マルチキャリア・ワイヤレス遠隔通信ネットワークでアンカ搬送波ステータスを第１の搬送波から別の搬送波に移送する方法。マルチキャリア・ワイヤレス遠隔通信ネットワークは、前記遠隔通信ネットワークのセクタ内で複数の無線周波数搬送波上で同時に信号を送信および受信するように動作可能な基地局およびユーザ機器を備える。方法は、ネットワーク・ノードに通知すべきトリガリング・イベントの詳細を受信するステップであって、前記トリガリング・イベントが、前記第１の搬送波の測定可能特性が所定の第１のしきい値を超えて変化することを含むステップと、前記トリガリング・イベントを示すトリガリング情報をネットワーク・ノードに提供するステップと、マルチキャリア遠隔通信ネットワークの他の搬送波のうちのどれが、所定の第２のしきい値を超える測定可能特性を有するかを判定するステップと、前記所定の第２のしきい値を超える測定可能特性を有すると判定した搬送波に関する情報をネットワーク・ノードに提供するステップと、搬送波に関する前記情報および前記トリガリング情報の受信に応答して生成された受信信号に応答して、前記所定の第２のしきい値を超える測定可能特性を有すると判定した搬送波のうちの１つに、アンカ搬送波ステータスを移送するステップとを含む。
2013502119.tif 000002
【特許請求の範囲】
【請求項１】
マルチキャリア・ワイヤレス遠隔通信ネットワークでアンカ搬送波ステータスを第１の搬送波から別の搬送波に移送する方法であって、前記マルチキャリア・ワイヤレス遠隔通信ネットワークが、前記遠隔通信ネットワークのセクタ内で複数の無線周波数搬送波上で同時に信号を送信および受信するように動作可能な基地局およびユーザ機器を備え、前記方法が、
ネットワーク・ノードに通知すべきトリガリング・イベントの詳細を受信するステップを含み、
前記トリガリング・イベントが、所定の第１のしきい値を超える前記第１の搬送波の測定可能特性の変化を含み、前記方法はさらに、
前記トリガリング・イベントを示すトリガリング情報をネットワーク・ノードに提供するステップと、
前記マルチキャリア遠隔通信ネットワークの他の搬送波のうちのどれが、所定の第２のしきい値を超える測定可能特性を有するかを判定するステップと、
前記所定の第２のしきい値を超える測定可能特性を有すると判定した搬送波に関する情報を前記ネットワーク・ノードに提供するステップと、
搬送波に関する前記情報および前記トリガリング情報の受信に応答して生成された受信信号に応答して、前記所定の第２のしきい値を超える測定可能特性を有すると判定した前記搬送波のうちの１つに、アンカ搬送波ステータスを移送するステップとを含む、方法。
【請求項２】
前記トリガリング・イベントが、第１の搬送波の測定可能特性が所定の期間に所定の第１のしきい値を超えて変化することを含み、前記トリガリング情報が、前記生成された信号が提供される前に前記第１の搬送波の測定可能特性が所定の期間に所定の第１のしきい値を変更することが生じるはずであることを前記ネットワーク・ノードに示す、請求項１に記載の方法。
【請求項３】
前記トリガリング・イベントが、前記第１の搬送波の測定可能特性が所定の第１のしきい値を超えて変化すると共に、別の搬送波が所定の第２のしきい値を超える測定可能特性を有すると判定されることをさらに含み、前記トリガリング情報が、前記生成された信号が提供される前に、前記第１の搬送波の測定可能特性が所定の第１のしきい値を超えて変化したこと、および搬送波が所定の第２のしきい値を超える測定可能特性を有すると判定したことを前記ネットワーク・ノードに示す、請求項１または２のいずれか１項に記載の方法。
【請求項４】
判定する前記ステップが、他の各搬送波について、前記測定可能特性が前記所定の第２のしきい値から超過した値を計算するステップを含み、前記所定の第２のしきい値を超える測定可能特性を有すると判定した搬送波に関する情報を提供する前記ステップが、各搬送波が前記所定の第２のしきい値から超過した値の表示を提供するステップを含む、請求項１乃至３のいずれか１項に記載の方法。
【請求項５】
最大であると判定した値だけ前記所定の第２のしきい値から超過する搬送波がどれであるかを判定するステップをさらに含む、請求項３に記載の方法。
【請求項６】
前記測定可能特性が、各搬送波が受ける受信信号強度、信号対雑音比、または経路損失を表す表示を含む、請求項１乃至５のいずれか１項に記載の方法。
【請求項７】
コンピュータ上で実行されたとき、請求項１乃至６のいずれか１項に記載の方法ステップを実施するように動作可能なコンピュータ・プログラム製品。
【請求項８】
マルチキャリア・ワイヤレス遠隔通信ネットワークでアンカ搬送波ステータスを第１の搬送波から別の搬送波に移送するように動作可能なユーザ機器であって、前記マルチキャリア・ワイヤレス遠隔通信ネットワークが、前記遠隔通信ネットワークのセクタ内で複数の無線周波数搬送波上で同時に信号を送信および受信するように動作可能な基地局およびユーザ機器を備え、
ネットワーク・ノードに通知すべきトリガリング・イベントの詳細を受信するように動作可能なトリガリング・イベント受信ロジックを備え、前記トリガリング・イベントが、前記第１の搬送波の測定可能特性が所定の第１のしきい値を超えて変化することを含み、さらに、
前記トリガリング・イベントを示すトリガリング情報をネットワーク・ノードに提供するように動作可能なトリガ情報伝送ロジックと、
前記マルチキャリア遠隔通信ネットワークの他の搬送波のうちのどれが、所定の第２のしきい値を超える測定可能特性を有するかを判定するように動作可能な搬送波評価ロジックと、
所定の第２のしきい値を超える測定可能特性を有すると判定した搬送波に関する情報を前記ネットワーク・ノードに提供するように動作可能な搬送波評価伝送ロジックと、
搬送波に関する前記情報および前記トリガリング情報の受信に応答して生成された移送信号を受信するように動作可能な移送受信ロジックと、
前記所定の第２のしきい値を超える測定可能特性を有すると判定した搬送波のうちの１つにアンカ搬送波ステータスを移送するように動作可能な移送実装ロジックとを備える、ユーザ機器。
【請求項９】
マルチキャリア・ワイヤレス遠隔通信ネットワークでアンカ搬送波ステータスを第１の搬送波から別の搬送波に移送するように動作可能な基地局であって、前記マルチキャリア・ワイヤレス遠隔通信ネットワークが、前記遠隔通信ネットワークのセクタ内で複数の無線周波数搬送波上で同時に信号を送信および受信するように動作可能な基地局およびユーザ機器を備え、
ネットワーク・ノードに通知すべきトリガリング・イベントの詳細を受信するように動作可能なトリガリング・イベント受信ロジックであって、前記トリガリング・イベントが、前記第１の搬送波の測定可能特性が所定の第１のしきい値を超えて変化することを含むトリガリング・イベント受信ロジックと、
前記トリガリング・イベントを示すトリガリング情報をネットワーク・ノードに提供するように動作可能なトリガ情報伝送ロジックと、
前記マルチキャリア遠隔通信ネットワークの他の搬送波のうちのどれが、所定の第２のしきい値を超える測定可能特性を有するかを判定するように動作可能な搬送波評価ロジックと、
前記所定の第２のしきい値を超える測定可能特性を有すると判定した搬送波に関する情報を前記ネットワーク・ノードに提供するように動作可能な搬送波評価伝送ロジックと、
搬送波に関する前記情報および前記トリガリング情報の受信に応答して生成された移送信号を受信するように動作可能な移送受信ロジックと、
前記所定の第２のしきい値を超える測定可能特性を有すると判定した搬送波のうちの１つにアンカ搬送波ステータスを移送するように動作可能な移送実装ロジックとを備える、基地局。
【請求項１０】
マルチキャリア・ワイヤレス遠隔通信ネットワークでアンカ搬送波ステータスの第１の搬送波から別の搬送波への移送を指令する移送通知を提供する方法であって、前記マルチキャリア・ワイヤレス遠隔通信ネットワークが、前記第１の搬送波の測定可能特性が所定の第１のしきい値を超えて変化することを含むトリガリング・イベントに応答して、前記遠隔通信ネットワークのセクタ内で複数の無線周波数搬送波上で同時に信号を送信および受信するように動作可能な基地局およびユーザ機器を備え、前記方法が、
前記トリガリング・イベントを示すトリガリング情報を受信するステップと、
所定の第２のしきい値を超える測定可能特性を有すると判定された任意の他の搬送波に関する情報を受信するステップと、
前記所定の第２のしきい値を超える測定可能特性を有すると判定された搬送波に関する前記情報、および前記トリガリング情報に応答して移送通知を生成するステップであって、前記移送通知が、アンカ搬送波ステータスの、前記所定の第２のしきい値を超える測定可能特性を有すると判定された搬送波のうちの１つへの移送を指令するステップと、
前記移送通知を送信するステップとを含む、方法。
【請求項１１】
前記トリガリング・イベントが、第１の搬送波の測定可能特性が所定の第１のしきい値を超えて変化すると共に、別の搬送波が所定の第２のしきい値を超える測定可能特性を有すると判定されることをさらに含み、前記トリガリング・イベントを示す前記トリガリング情報が、前記移送通知が生成される前に、前記第１の搬送波の測定可能特性が所定の第１のしきい値を超えて変化したこと、および搬送波が所定の第２のしきい値を超える測定可能特性を有すると判定したことを示す、請求項１０に記載の方法。
【請求項１２】
情報を受信する前記ステップが、前記測定可能特性が所定の第２のしきい値から超過する値を表す、各搬送波についての情報を受信するステップをさらに含む、請求項１０または１１に記載の方法。
【請求項１３】
移送通知を生成する前記ステップが、前記第２の所定のしきい値を超える測定可能特性を有すると判定した搬送波のうちのどれが、最大の量だけ前記所定のしきい値を超えるかを計算するステップをさらに含み、前記移送通知が、アンカ搬送波ステータスの、前記第１の搬送波から、最大の量だけ前記第２の所定のしきい値を超えると判定した搬送波への移送を指令する、請求項１１に記載の方法。
【請求項１４】
コンピュータ上で実行されたとき、請求項１０乃至１３のいずれか１項に記載の方法ステップを実施するように動作可能なコンピュータ・プログラム製品。
【請求項１５】
第１の搬送波の測定可能特性が所定の第１のしきい値を超えて変化することを含むトリガリング・イベントに応答して、マルチキャリア・ワイヤレス遠隔通信ネットワークでアンカ搬送波ステータスの前記第１の搬送波から別の搬送波への移送を指令する移送通知を提供するように動作可能なネットワーク・ノードであって、前記マルチキャリア・ワイヤレス遠隔通信ネットワークが、前記遠隔通信ネットワークのセクタ内で複数の無線周波数搬送波上で同時に信号を送信および受信するように動作可能な基地局およびユーザ機器を備え、
前記トリガリング・イベントを示すトリガリング情報を受信するように動作可能な受信ロジックと、
所定の第２のしきい値を超える測定可能特性を有すると判定された搬送波に関する情報を受信するように動作可能な搬送波受信ロジックと、
前記所定の第２のしきい値を超える測定可能特性を有すると判定された搬送波に関する前記情報、および前記トリガリング情報に応答して移送通知を生成するように動作可能な移送通知生成ロジックと、アンカ搬送波ステータスの、前記所定の第２のしきい値を超える測定可能特性を有すると判定された搬送波のうちの１つへの移送を指令する前記移送通知を送信するように動作可能な移送通知伝送ロジックとを備える、ネットワーク・ノード。
【発明の詳細な説明】
【技術分野】
【０００１】
本発明は、マルチキャリア・ワイヤレス遠隔通信ネットワークでアンカ搬送波ステータスを最初の搬送波から別の搬送波に移送する方法、その方法を実施するように動作可能なネットワーク・ノード、基地局、およびユーザ機器、ならびにコンピュータ・プログラム製品に関する。
【背景技術】
【０００２】
シングル・キャリア・ワイヤレス遠隔通信システムが知られている。こうした周知のシステムでは、地理的エリアによって無線カバレッジがユーザ機器、例えば携帯電話に提供される。必要な無線カバレッジを提供するために、基地局が各地理的エリア内に配置される。基地局によってサービスあれるエリア内のユーザ機器は、基地局から情報およびデータを受信し、基地局に情報およびデータを送信する。
【０００３】
基地局によってユーザ機器に送信される情報およびデータは、ダウンリンク搬送波と呼ばれる無線搬送波のチャネル上で生じる。ユーザ機器によって基地局に送信される情報およびデータは、アップリンク搬送波と呼ばれる無線搬送波のアップリンク・データ・チャネル上で生じる。
【０００４】
周知のシングル・キャリア・ワイヤレス遠隔通信システムでは、ユーザ機器は、地理的基地局カバレッジ・エリア間を移動することができる。ユーザ機器に提供されるサービスは、無線ネットワーク・コントローラ（ＲＮＣ）によって管理される。無線ネットワーク・コントローラは、ユーザ機器および基地局と通信し、各ユーザ機器が主にどの基地局に接続されるかを判定する。さらに、ユーザ機器が、ある基地局によってサービスされる地理的エリアから別の基地局によってサービスされる地理的エリアに移動するときに、無線ネットワーク・コントローラは、基地局およびユーザ機器を制御し、それらと通信するように働く。
【０００５】
所与の基地局によってサービスされるエリアは通常、その基地局に関するカバレッジ・エリアを共に画定するいくつかのセクタを備える。通常、基地局は３つのセクタにサービスする。こうしたセクタは通常、基地局上に設けられた別々のアンテナ・アレイによってサービスされる。基地局カバレッジ・エリア間の移動を制御するだけでなく、無線ネットワーク・コントローラは、ユーザ機器が単一の基地局によってサービスされるカバレッジ・エリア内のセクタ間を移動するときの、基地局およびユーザ機器の可視性、およびそれらとの間の通信をも有する。
【０００６】
単一の基地局によって提供されるセクタ間の移動、およびカバレッジ・エリア間の移動、すなわち基地局間の移動は、「モビリティ・イベント」または「ハンドオーバ」と呼ばれ、無線ネットワーク・コントローラによって管理される。シングル・キャリア遠隔通信システムでは、シングル・キャリアを介して、こうしたモビリティ・イベントが無線ネットワーク・コントローラに通知され、無線ネットワーク・コントローラによって制御される。
【０００７】
基地局およびユーザ機器が、複数の搬送波上でそれぞれ同時に送信することを可能にすることが提案されている。さらに、ユーザ機器および基地局が複数の搬送周波数上で同時に受信することを可能にすることが提案されている。各搬送波、アップリンクとダウンリンクは共に、通常は、基地局によって独立して電力制御され、独立してスケジューリングされる。デュアル・セル高速アップリンク・パケット・アクセス（ＤＣ−ＨＳＵＰＡ）が、ユーザ機器が２つの隣接する周波数搬送波上でデータを送信することを可能にする。これにより、ユーザ機器からのデータ・スループットの向上が可能となる。３つ以上の搬送波を有するネットワークは、「マルチセル高速アップリンク・パケット・アクセス」（ＭＣ−ＨＳＵＰＡ）ネットワークと呼ばれることがある。本明細書で使用する「マルチキャリア」ネットワークという用語は、ＤＣ−ＨＳＵＰＡネットワークとＭＣ−ＨＳＵＰＡネットワークのどちらも包含すると想定する。
【０００８】
典型的なマルチキャリア・ワイヤレス遠隔通信ネットワークでは、提供される搬送波のうちの１つが、「アンカ」または「主搬送波」と呼ばれる。アンカ搬送波は特定の機能目的を有し、特定のユーザ機器は１つまたは複数の搬送波上で同時に受信および送信することができることがあるが、アンカ・アップリンクおよびダウンリンク搬送波は、無線ネットワーク・コントローラが上記で参照した「モビリティ・イベント」を監視、制御、および指令する搬送波である。無線ネットワーク・コントローラは、特定のユーザ機器の完全な可視性および制御を維持するために、アップリンクおよびダウンリンク・アンカ搬送波に依拠する。すなわち、アンカ搬送波は、ダウンリンク操作に関する不可欠な制御チャネルを提供し、ユーザ機器によって行われ、アンカ搬送波アップリンク上でレポートされる測定に基づいて、モビリティ・イベントが管理される。したがって、アンカ搬送波ダウンリンク無線リンクに障害が発生した場合、別の搬送波ダウンリンク無線リンクが利用可能な場合であっても、ユーザ機器が無線リンク障害を宣言することを強制されることがあることを理解することができる。アンカ搬送波がない場合、ネットワークは、ユーザ機器の状態に気付かない。無線リンク障害が宣言された場合、ユーザ機器は、ＨＳＵＰＡスループットを取り戻すために、異なる搬送波を介してネットワークに再接続することがある。その再接続プロセスには時間がかかる。
【発明の概要】
【発明が解決しようとする課題】
【０００９】
したがって、アンカ搬送波障害の場合のマルチキャリア・ワイヤレス遠隔通信ネットワークの回復力を改善することが望ましい。
【課題を解決するための手段】
【００１０】
したがって、第１の態様は、マルチキャリア・ワイヤレス遠隔通信ネットワークでアンカ搬送波ステータスを第１の搬送波から別の搬送波に移送する方法であって、前記マルチキャリア・ワイヤレス遠隔通信ネットワークが、前記遠隔通信ネットワークのセクタ内で複数の無線周波数搬送波上で同時に信号を送信および受信するように動作可能な基地局およびユーザ機器を備え、
ネットワーク・ノードに通知すべきトリガリング・イベントの詳細を受信するステップであって、
トリガリング・イベントが、所定の第１のしきい値を超える第１の搬送波の測定可能特性の変化を含むステップと、
トリガリング・イベントを示すトリガリング情報をネットワーク・ノードに提供するステップと、
マルチキャリア遠隔通信ネットワークの他の搬送波のうちのどれが、所定の第２のしきい値を超える測定可能特性を有するかを判定するステップと、
所定の第２のしきい値を超える測定可能特性を有すると判定した搬送波に関する情報をネットワーク・ノードに提供するステップと、
搬送波に関する前記情報および前記トリガリング情報の受信に応答して生成された受信信号に応答して、前記所定の第２のしきい値を超える測定可能特性を有すると判定した搬送波のうちの１つに、アンカ搬送波ステータスを移送するステップと
を含む方法を提供する。
【００１１】
マルチキャリア・ワイヤレス遠隔通信ネットワーク環境でアンカ搬送波を指定することが、３ｒｄ  Ｇｅｎｅｒａｔｉｏｎ  Ｐａｒｔｎｅｒｓｈｉｐ  Ｐｒｏｊｅｃｔ（３ＧＰＰ）によって提案された。モビリティ・イベントをサポートするように働くアンカ搬送波が提案された。ユーザ機器がアクティブなアンカ搬送波ダウンリンク無線リンクを有する間に第２の搬送波（非アンカ）ダウンリンク無線リンクに障害が発生した場合、ユーザ機器が無線リンク障害を宣言するように動作せず、アンカ搬送波を介して引き続き動作することがさらに提案された。そのような手法は論理的と思われる。高速アップリンク・パケット・アクセス・ネットワークは、ユーザ機器の状態と、ユーザ機器が主にどの基地局に接続されるかを知らずに首尾よく動作することができないからである。したがって、アンカ搬送波ダウンリンク無線リンクに障害が発生した場合、ユーザ機器は、アクティブな第２の搬送波ダウンリンク無線リンクが利用可能となった場合であっても、無線リンク障害を宣言する。
【００１２】
第１の態様は、一定のアンカ搬送波機能を維持することにより、中断なしに、第１の態様による方法を使用するユーザ機器がネットワーク・ノードにとって可視となり、マルチキャリア・ワイヤレス遠隔通信ネットワークの一部を形成するとみなされることを認識する。
【００１３】
第１の態様は、第１の搬送波が無線リンク障害を受けたときにアンカ搬送波ステータスを移送することにより、ユーザがサービスに対する中断を受けないことを保証することが可能となることを認識する。ユーザ機器が１つまたは複数の別の搬送波とまだ同期している間に、無線リンク障害の前にアンカ搬送波ステータスを第１の搬送波から別の搬送波に移送することにより、第１の態様を使用するユーザ機器は、もはやセルＤＣＨ状態を離れる必要がない。さらに、無線ネットワーク・コントローラは、第１の態様による方法を使用するユーザ機器の可視性を維持することができる。
【００１４】
第１の態様は、利用可能な場合、アクティブな第２の搬送波ダウンリンク無線リンクにアンカ搬送波ステータスを移送し、特にアンカ搬送波機能を移動することが可能であることを認識する。
【００１５】
トリガリング・イベントに応答するアンカ搬送波ステータスの移送により、ステータスが不必要に変更されないことが保証される。第１の態様の特定のトリガリング・イベントは、無線リンクが弱くなる場合、最終的に障害が発生する可能性があることを認識する。無線リンクが弱くなったとき、ネットワーク機器が、無線リンクを維持しようと試みるために、アンカ搬送波上で不必要に高い電力を送信することを強制される。第２の搬送波の方がアンカ搬送波として働くことが適している場合、第１の態様に従ってアンカ搬送波ステータスを第１の搬送波から第２の搬送波に移送することにより、不必要に高い電力での送信を回避することができる。
【００１６】
第１の態様は、不必要に無線リンク障害を宣言する必要を回避すること、およびマルチキャリア・ワイヤレス遠隔通信ネットワークで利用可能な固有の無線リンク周波数ダイバーシティを利用することを目標とする。
【００１７】
ユーザ機器および基地局が第１の態様を使用するように動作可能であるケースで移送が行われる場合、第１の態様は特定の利点を有する。ユーザ機器が１つまたは複数のアクティブなアップリンク搬送波および１つまたは複数のアクティブなダウンリンク搬送波を有する場合、そのユーザ機器は、そうした搬送波上で基地局と完全に同期される。ユーザ機器がアクティブであり、基地局に音声または他の情報を送信している場合、「セルＤＣＨ」状態にあると呼ばれる。この場合、ユーザ機器と基地局との間に専用無線リンクがある。ユーザ機器がアクティブである間にアンカ搬送波信号が弱くなった場合、他の搬送波のうちの１つへのアンカ搬送波ステータスの移送により、ユーザ機器が無線リンク障害を宣言する必要がないことが保証される。さらに、基地局とユーザ機器は、アンカ搬送波ステータスが移送される搬送波上で既に同期されているので、第１の態様による移送により、ユーザが受けるサービスに対する中断が最小限に抑えられる。
【００１８】
マルチキャリア・ネットワークでは、ダウンリンク・アンカ搬送波とアップリンク・アンカ搬送波の両方があることを理解されよう。第１の態様は、ダウンリンク・アンカ搬送波ステータスまたはアップリンク・アンカ搬送波ステータスのいずれかまたは両方を移送するように動作することができる。ダウンリンク搬送波に障害が発生した場合、その結果として、対応するアップリンク・アンカ搬送波の障害が発生することも理解されよう。
【００１９】
典型的な周知のユーザ機器−基地局対話では、ユーザ機器のアイテムが、そのユーザ機器が無線リンク接続を有するセルのリストを維持する（１つのセルは、特定の搬送周波数によってサービスされる基地局セクタと同等である）。そのリストはＤｅｄｉｃａｔｅｄ  Ｃｈａｎｎｅｌ  Ａｃｔｉｖｅ  Ｓｅｔ（ＤＣＨ  Ａｃｔｉｖｅ  Ｓｅｔ）と呼ばれる。ユーザ機器が複数の基地局との無線リンクを有することがあることを理解されよう。
【００２０】
さらに、ユーザ機器は、そのユーザ機器がＨＳＵＰＡ接続を有するセルのリストを維持する。そのリストはＥｎｈａｎｃｅｄ  Ｄｅｄｉｃａｔｅｄ  Ｃｈａｎｎｅｌ  Ａｃｔｉｖｅ  Ｓｅｔ（Ｅ−ＤＣＨ  Ａｃｔｉｖｅ  Ｓｅｔ）と呼ばれる。Ｅ−ＤＣＨ  Ａｃｔｉｖｅ  ＳｅｔはＤＣＨ  Ａｃｔｉｖｅ  Ｓｅｔと同一でよく、またはＤＣＨ  Ａｃｔｉｖｅ  Ｓｅｔのサブセットでよい。
【００２１】
第１の態様による方法を、特に、特定の搬送波のＥ−ＤＣＨ  Ａｃｔｉｖｅ  ｓｅｔ内のセルに関する測定量に関して実施できることを理解されよう。すなわち、例えば、搬送波が隣接する基地局であるとき、搬送波が存在することがある。ユーザ機器は、第１の基地局によってサポートされるセクタに関連して、搬送波に関する信号を受信することができ、第２の基地局によってサポートされるセクタに関連して、搬送波に関する信号を受信することもできる。言い換えれば、搬送波は２つのセルをサポートすることができる。
【００２２】
そのようなケースでは、第１の態様のトリガリング・イベントをより具体的に定義できることを理解されよう。具体的には、アンカ搬送波は複数のセルを含むことがあるので、そのアンカ搬送波上のセルに関する測定量がしきい値未満に低下して、トリガリング・イベントを引き起こすことがある。
【００２３】
さらに、各搬送波は複数のセルを含むことがあるので、どの搬送波がしきい値を超える測定量を有するかを判定する際に、搬送周波数によって提供されるどのセルが所定のしきい値を超える測定量を有するかを判定することも可能であることがある。
【００２４】
一実施形態では、トリガリング・イベントは、第１の搬送波の測定可能特性が所定の期間に所定の第１のしきい値を超えて変化することを含み、トリガリング情報は、生成された信号が提供される前に第１の搬送波の測定可能特性が所定の期間に所定の第１のしきい値を変更することが生じるはずであることをネットワーク・ノードに示す。
【００２５】
したがって、当該のトリガリング・イベントは、特定の期間に前記第１の搬送波の測定可能特性が所定の第１のしきい値より下に低下すること、または（選ばれる測定量に応じて）所定の値を超過することでよい。この手法により、アンカ搬送波ステータスが不必要に移送されず、ネットワーク・ノードは、第１の搬送波の測定可能特性が特定の期間に所定のしきい値を超えて変化したときにトリガ・イベントの通知を受けるだけであることを理解されよう。
【００２６】
一実施形態では、トリガリング・イベントは、第１の搬送波の測定可能特性が所定の第１のしきい値を超えて変化すると共に、別の搬送波が所定の第２のしきい値を超える測定可能特性を有すると判定されることをさらに含み、トリガリング情報は、生成された信号が提供される前に、第１の搬送波の測定可能特性が所定の第１のしきい値を超えて変化したこと、および搬送波が所定の第２のしきい値を超える測定可能特性を有すると判定したことをネットワーク・ノードに示す。
【００２７】
したがって、新しいアンカ搬送波を識別することができない場合、トリガ・イベントは通知可能ではなく、ネットワーク・ノードによって移送信号が生成されない。例えばユーザ機器と基地局との間の無線リンクをサポートするために搬送波が利用可能ではない場合、アンカ搬送波ステータスの移送が可能ではない。
【００２８】
一実施形態では、判定するステップは、他の各搬送波について、測定可能特性が所定の第２のしきい値から超過した値を計算するステップを含み、所定の第２のしきい値を超える測定可能特性を有すると判定した搬送波に関する情報を提供するステップは、各搬送波が所定の第２のしきい値から超過した値の表示を提供するステップを含む。
【００２９】
したがって、アンカ搬送波ステータスが利用可能な最も適切な代替搬送波に移送されることを保証することのできる情報が、ネットワーク・ノードに提供される。すなわち、要件を最良に満たすとネットワーク・ノードによって判定されるその搬送波にアンカ搬送波ステータスを移送することができる。
【００３０】
一実施形態では、方法は、最大であると判定した値だけ前記所定の第２のしきい値から超過する搬送波がどれであるかを判定するステップをさらに含む。したがって、最大量だけ搬送波が前記所定の第２のしきい値から超過した搬送波がどれであるかをネットワーク・ノードに通知することができ、したがって、どの搬送波がアンカ搬送波ステータスの移送に最も適しているかをネットワーク・ノードに示すことができる。
【００３１】
一実施形態では、各搬送波は１つまたは複数のセルを含み、トリガリング・イベントは、所定のしきい値を超える第１の搬送波のセルの測定可能特性の変化を含み、方法は、
所定の第２のしきい値を超える測定可能特性を有すると判定した各搬送波のセルのうちのどれが、所定の第３のしきい値を超える測定可能特性を有するかを判定するステップと、
所定の第２のしきい値を超える測定可能特性を有すると判定した各搬送波の、所定の第３のしきい値を超える測定可能特性を有するセルに関する情報をネットワーク・ノードに提供するステップと、
搬送波に関する情報、セルに関する情報、および前記トリガリング情報の受信に応答して生成された受信信号に応答して、所定の第２のしきい値を超える測定可能特性を有すると判定した搬送波のうちの１つのセルのうちの１つに、搬送波のセルに対するアンカ搬送波ステータスを移送するステップと
をさらに含む。
【００３２】
したがって、これにより、第１の態様の方法が、最も適切な搬送波の最も適切なセルに移送するように動作することが可能となる。ネットワーク・ノードは、最も適切な代替搬送波の最も適切なセルにアンカ搬送波ステータスを移送するように動作することができるように、各搬送波のセルに関する情報を必要とする。
【００３３】
一実施形態では、測定可能特性は、各搬送波が受ける信号強度、信号対雑音比、または経路損失を表す表示を含む。したがって、例えばユーザ機器または基地局の受けるアンカ搬送波無線リンクの強度を判定するために、様々な測定量を使用できることを理解されよう。例えば、ユーザ機器での受信信号強度を考慮することによってアンカ搬送波ダウンリンクの強度を求めることが可能であることがある。例えば、チップ当たりパイロット・チャネル・エネルギー対雑音比（ｐｉｌｏｔ  ｃｈａｎｎｅｌ  ｅｎｅｒｇｙ  ｐｅｒ  ｃｈｉｐ  ｏｖｅｒ  ｎｏｉｓｅ  ｒａｔｉｏ）を求めることによってダウンリンク無線リンクの強度を求めることが可能であることがあり、または例えば、測定経路損失から無線リンクの強度の表示を生成することが可能であることがある。
【００３４】
一実施形態では、所定の第１のしきい値が、無線リンクを維持するためにユーザ機器または基地局が必要とする最小レベルに設定される。一実施形態では、所定の第２のしきい値が、ユーザ機器が無線リンクを維持するために必要とする最小レベルに設定される。一実施形態では、所定の第２のしきい値が、アクティブな無線リンクを維持するのに必要な最小レベルより上に設定される。
【００３５】
一実施形態では、所定の第１、第２、または第３のしきい値が、無線リンクを維持するためにユーザ機器または基地局が必要とする最小レベルに設定される。
【００３６】
一実施形態では、所定の第２または第３のしきい値が、アクティブな無線リンクを維持するのに必要な最小レベルより上に設定される。
【００３７】
一実施形態では、所定の第１のしきい値と所定の第２のしきい値はほぼ同一である。
【００３８】
アクティブな無線リンクの保守の持続可能性に関連してしきい値を選ぶことは、アンカ搬送波無線リンクに障害が発生しようとしているときに第１の態様が使用されることを保証する助けとすることができ、その移送は、アクティブな無線リンクを維持することのできる搬送波のみに対して行われる。
【００３９】
第２の態様は、コンピュータ上で実行されたとき、第１の態様の方法ステップを実施するように動作可能なコンピュータ・プログラム製品を提供する。
【００４０】
第３の態様は、マルチキャリア・ワイヤレス遠隔通信ネットワークでアンカ搬送波ステータスを第１の搬送波から別の搬送波に移送するように動作可能なユーザ機器であって、前記マルチキャリア・ワイヤレス遠隔通信ネットワークが、前記遠隔通信ネットワークのセクタ内で複数の無線周波数搬送波上で同時に信号を送信および受信するように動作可能な基地局およびユーザ機器を備え、
ネットワーク・ノードに通知すべきトリガリング・イベントの詳細を受信するように動作可能なトリガリング・イベント受信ロジックであって、前記トリガリング・イベントが、前記第１の搬送波の測定可能特性が所定の第１のしきい値を超えて変化することを含むトリガリング・イベント受信ロジックと、
前記トリガリング・イベントを示すトリガリング情報をネットワーク・ノードに提供するように動作可能なトリガ情報伝送ロジックと、
マルチキャリア遠隔通信ネットワークの他の搬送波のうちのどれが、所定の第２のしきい値を超える測定可能特性を有するかを判定するように動作可能な搬送波評価ロジックと、
前記所定の第２のしきい値を超える測定可能特性を有すると判定した搬送波に関する情報をネットワーク・ノードに提供するように動作可能な搬送波評価伝送ロジックと、
搬送波に関する前記情報および前記トリガリング情報の受信に応答して生成された移送信号を受信するように動作可能な移送受信ロジックと、
前記所定の第２のしきい値を超える測定可能特性を有すると判定した搬送波のうちの１つにアンカ搬送波ステータスを移送するように動作可能な移送実装ロジックと
を備えるユーザ機器を提供する。
【００４１】
第１の態様の方法が、マルチキャリア・ワイヤレス遠隔通信ネットワークで使用されるユーザ機器で実装されるときに特定の利点を有することを理解されよう。具体的には、現アンカ搬送波が無線リンク・ステータスを失おうとしていることをユーザ機器が認識するとき、アンカ搬送波ステータスの移送が特に必要となることを理解されよう。その状況では、無線リンクの喪失を回避するために、アンカ搬送波ステータスが第２の搬送波に移送されることを保証するためのステップを行うことが有利である。ユーザ機器が、アンカ・ダウンリンク無線リンクに障害が発生したときに単に無線リンク障害を宣言し、次いで異なる搬送波上でネットワークに再接続することが可能なはずである。しかし、そのような構成は、ユーザ機器に専用セルＤＣＨ伝送状態から非セルＤＣＨ状態に移送させることになり、ユーザ機器は、その専用高速アップリンク・パケット・アクセス無線リソースと、高スループットで送信するその能力とを一時的に失うことになる。さらに、無線リンクを第２の搬送波に移送する再確立プロセスには時間がかかり、レイヤ１同期が必要となる。そのようなプロセスは、ユーザ・サービスの中断を引き起こす（例えば、任意の進行中のデータ移送手続きが中断される）。ユーザ体験の観点からは、そのような中断は特に望ましくない。第１の態様の方法、第３の態様によるユーザ機器、または第４の態様による基地局は、こうした問題を回避または軽減することを目標とする。
【００４２】
一実施形態では、トリガリング・イベントは、第１の搬送波の測定可能特性が所定の期間に所定の第１のしきい値を超えて変化することを含み、トリガリング情報は、生成された信号が提供される前に、第１の搬送波の測定可能特性が所定の期間に所定の第１のしきい値を変更することが生じるはずであることをネットワーク・ノードに示す。
【００４３】
一実施形態では、トリガリング・イベントは、第１の搬送波の測定可能特性が所定の第１のしきい値を超えて変化すると共に、別の搬送波が所定の第２のしきい値を超える測定可能特性を有すると判定されることをさらに含み、トリガリング情報は、生成された信号が提供される前に、第１の搬送波の測定可能特性が所定の第１のしきい値を超えて変化したこと、および搬送波が所定の第２のしきい値を超える測定可能特性を有すると判定したことをネットワーク・ノードに示す。
【００４４】
一実施形態では、搬送波評価ロジックはさらに、他の各搬送波について、測定可能特性が所定の第２のしきい値から超過した値を計算するように動作可能であり、所定の第２のしきい値を超える測定可能特性を有すると判定した搬送波に関する情報を提供するように動作可能な搬送波評価伝送ロジックはさらに、各搬送波が所定の第２のしきい値から超過した値の表示を提供するように動作可能である。
【００４５】
一実施形態では、搬送波評価ロジックはさらに、最大であると判定した値だけ所定の第２のしきい値から超過する搬送波がどれであるかを判定するように動作可能である。
【００４６】
一実施形態では、各搬送波は１つまたは複数のセルをさらに含み、トリガリング・イベントは、所定のしきい値を超える第１の搬送波のセルの測定可能特性の変化を含み、ユーザ機器は、
所定の第２のしきい値を超える測定可能特性を有すると判定した各搬送波のセルのうちのどれが、所定の第３のしきい値を超える測定可能特性を有するかを判定するように動作可能なセル評価ロジックと、
所定の第２のしきい値を超える測定可能特性を有すると判定した各搬送波の、所定の第３のしきい値を超える測定可能特性を有するセルに関する情報をネットワーク・ノードに提供するように動作可能なセル評価伝送ロジックとをさらに備え、
移送受信ロジックがさらに、搬送波に関する前記情報、セルに関する情報、および前記トリガリング情報の受信に応答して生成された移送信号を受信するように動作可能であり、
移送実装ロジックが、前記所定の第２のしきい値を超える測定可能特性を有すると判定した搬送波の、第３の所定のしきい値を超える測定可能特性を有すると判定したセルのうちの１つにアンカ搬送波ステータスを移送するように動作可能である。
【００４７】
一実施形態では、測定可能特性は、各搬送波またはセルが受ける信号強度、信号対雑音干渉比、または経路損失を表す表示を含む。
【００４８】
一実施形態では、所定の第１、第２、または第３のしきい値が、無線リンクを維持するためにユーザ機器または基地局が必要とする最小レベルに設定される。
【００４９】
一実施形態では、所定の第２または第３のしきい値が、アクティブな無線リンクを維持するのに必要な最小レベルより上に設定される。
【００５０】
一実施形態では、所定の第１のしきい値と所定の第２のしきい値はほぼ同一である。
【００５１】
第４の態様は、マルチキャリア・ワイヤレス遠隔通信ネットワークでアンカ搬送波ステータスを第１の搬送波から別の搬送波に移送するように動作可能な基地局であって、前記マルチキャリア・ワイヤレス遠隔通信ネットワークが、前記遠隔通信ネットワークのセクタ内で複数の無線周波数搬送波上で同時に信号を送信および受信するように動作可能な基地局およびユーザ機器を備え、
ネットワーク・ノードに通知すべきトリガリング・イベントの詳細を受信するように動作可能なトリガリング・イベント受信ロジックであって、前記トリガリング・イベントが、第１の搬送波の測定可能特性が所定の第１のしきい値を超えて変化することを含むトリガリング・イベント受信ロジックと、
トリガリング・イベントを示すトリガリング情報をネットワーク・ノードに提供するように動作可能なトリガ情報伝送ロジックと、
マルチキャリア遠隔通信ネットワークの他の搬送波のうちのどれが、所定の第２のしきい値を超える測定可能特性を有するかを判定するように動作可能な搬送波評価ロジックと、
所定の第２のしきい値を超える測定可能特性を有すると判定した搬送波に関する情報をネットワーク・ノードに提供するように動作可能な搬送波評価伝送ロジックと、
搬送波に関する情報および前記トリガリング情報の受信に応答して生成された移送信号を受信するように動作可能な移送受信ロジックと、
所定の第２のしきい値を超える測定可能特性を有すると判定した搬送波のうちの１つにアンカ搬送波ステータスを移送するように動作可能な移送実装ロジックと
を備える基地局を提供する。
【００５２】
一実施形態では、トリガリング・イベントは、第１の搬送波の測定可能特性が所定の期間に所定の第１のしきい値を超えて変化することを含み、トリガリング情報は、生成された信号が提供される前に、第１の搬送波の測定可能特性が所定の期間に所定の第１のしきい値を変更することが生じるはずであることをネットワーク・ノードに示す。
【００５３】
一実施形態では、トリガリング・イベントは、第１の搬送波の測定可能特性が所定の第１のしきい値を超えて変化すると共に、別の搬送波が所定の第２のしきい値を超える測定可能特性を有すると判定されることをさらに含み、トリガリング情報は、生成された信号が提供される前に、第１の搬送波の測定可能特性が所定の第１のしきい値を超えて変化したこと、および搬送波が所定の第２のしきい値を超える測定可能特性を有すると判定したことをネットワーク・ノードに示す。
【００５４】
一実施形態では、搬送波評価ロジックはさらに、他の各搬送波について、測定可能特性が所定の第２のしきい値から超過した値を計算するように動作可能であり、所定の第２のしきい値を超える測定可能特性を有すると判定した搬送波に関する情報を提供するように動作可能な搬送波評価伝送ロジックはさらに、各搬送波が所定の第２のしきい値から超過した値の表示を提供するように動作可能である。
【００５５】
一実施形態では、搬送波評価ロジックはさらに、最大であると判定した値だけ所定の第２のしきい値から超過する搬送波がどれであるかを判定するように動作可能である。
【００５６】
一実施形態では、各搬送波は１つまたは複数のセルをさらに含み、トリガリング・イベントは、所定のしきい値を超える第１の搬送波のセルの測定可能特性の変化を含み、基地局は、
所定の第２のしきい値を超える測定可能特性を有すると判定した各搬送波のセルのうちのどれが、所定の第３のしきい値を超える測定可能特性を有するかを判定するように動作可能なセル評価ロジックと、
所定の第２のしきい値を超える測定可能特性を有すると判定した各搬送波の、所定の第３のしきい値を超える測定可能特性を有するセルに関する情報をネットワーク・ノードに提供するように動作可能なセル評価伝送ロジックとをさらに備え、
移送受信ロジックがさらに、搬送波に関する前記情報、セルに関する情報、および前記トリガリング情報の受信に応答して生成された移送信号を受信するように動作可能であり、
移送実装ロジックが、前記所定の第２のしきい値を超える測定可能特性を有すると判定した搬送波の、第３の所定のしきい値を超える測定可能特性を有すると判定したセルのうちの１つにアンカ搬送波ステータスを移送するように動作可能である。
【００５７】
一実施形態では、測定可能特性は、各搬送波またはセルが受ける信号強度、信号対雑音干渉比、または経路損失を表す表示を含む。
【００５８】
一実施形態では、所定の第１、第２、または第３のしきい値が、無線リンクを維持するためにユーザ機器または基地局が必要とする最小レベルに設定される。
【００５９】
一実施形態では、所定の第２または第３のしきい値が、アクティブな無線リンクを維持するのに必要な最小レベルより上に設定される。
【００６０】
一実施形態では、所定の第１のしきい値と所定の第２のしきい値はほぼ同一である。
【００６１】
第５の態様は、マルチキャリア・ワイヤレス遠隔通信ネットワークでアンカ搬送波ステータスの第１の搬送波から別の搬送波への移送を指令する移送通知を提供する方法であって、前記マルチキャリア・ワイヤレス遠隔通信ネットワークが、前記第１の搬送波の測定可能特性が所定の第１のしきい値を超えて変化することを含むトリガリング・イベントに応答して、前記遠隔通信ネットワークのセクタ内で複数の無線周波数搬送波上で同時に信号を送信および受信するように動作可能な基地局およびユーザ機器を備え、
前記トリガリング・イベントを示すトリガリング情報を受信するステップと、
所定の第２のしきい値を超える測定可能特性を有すると判定された任意の他の搬送波に関する情報を受信するステップと、
前記所定の第２のしきい値を超える測定可能特性を有すると判定された搬送波に関する前記情報、および前記トリガリング情報に応答して移送通知を生成するステップであって、前記移送通知が、アンカ搬送波ステータスの、前記所定の第２のしきい値を超える測定可能特性を有すると判定された搬送波のうちの１つへの移送を指令するステップと、
前記移送通知を送信するステップと
を含む方法を提供する。
【００６２】
第５の態様は、特定の条件が満たされるときに移送通知を生成する必要があることを認識する。最も具体的には、現アンカ搬送波に障害が発生しようとしており、アンカ搬送波ステータスを採用するために別の搬送波が利用可能であるとき、移送通知を生成することが必要である。第５の態様の方法は、ユーザ機器、基地局によって実施することができ、または前記ユーザ機器から離れた無線ネットワーク・コントローラによって実施することができる。ネットワーク・ノードは、基地局または無線ネットワーク・コントローラでよい。
【００６３】
一実施形態では、トリガリング・イベントは、第１の搬送波の測定可能特性が所定の第１のしきい値を超えて変化すると共に、別の搬送波が所定の第２のしきい値を超える測定可能特性を有すると判定されることをさらに含み、トリガリング・イベントを示すトリガリング情報は、移送通知が生成される前に、第１の搬送波の測定可能特性が所定の第１のしきい値を超えて変化したこと、および搬送波が所定の第２のしきい値を超える測定可能特性を有すると判定したことを示す。
【００６４】
一実施形態では、情報を受信するステップは、測定可能特性が所定の第２のしきい値から超過する値を表す、各搬送波についての情報を受信するステップをさらに含む。
【００６５】
一実施形態では、移送通知を生成するステップは、第２の所定のしきい値を超える測定可能特性を有すると判定した搬送波のうちのどれが、最大の量だけ所定のしきい値を超えるかを計算するステップをさらに含み、移送通知は、アンカ搬送波ステータスの、第１の搬送波から、最大の量だけ第２の所定のしきい値を超えると判定した搬送波への移送を指令する。
【００６６】
一実施形態では、各搬送波は１つまたは複数のセルを含み、方法は、
前記トリガリング・イベントを示すトリガリング情報を受信するステップと、
所定の第２のしきい値を超える測定可能特性を有すると判定された任意の他の搬送波に関する情報を受信するステップと、
所定の第３のしきい値を超える測定可能特性を有すると判定された搬送波のセルに関する情報を受信するステップと、
前記所定の第２のしきい値を超える測定可能特性を有すると判定された搬送波、第３のしきい値を超える測定可能特性を有すると判定された搬送波のセルに関する情報、および前記トリガリング情報に応答して移送通知を生成するステップであって、前記移送通知が、アンカ搬送波ステータスの、前記所定の第２のしきい値を超える測定可能特性を有すると判定された搬送波のうちの１つの中の、所定の第３のしきい値を超える測定可能特性を有するセルのうちの１つへの移送を指令するステップと、
前記移送通知を送信するステップと
をさらに含む。
【００６７】
第６の態様は、コンピュータ上で実行されたとき、第５の態様の方法ステップを実施するように動作可能なコンピュータ・プログラム製品を提供する。
【００６８】
第７の態様は、第１の搬送波の測定可能特性が所定の第１のしきい値を超えて変化することを含むトリガリング・イベントに応答して、マルチキャリア・ワイヤレス遠隔通信ネットワークでアンカ搬送波ステータスの前記第１の搬送波から別の搬送波への移送を指令する移送通知を提供するように動作可能なネットワーク・ノードであって、前記マルチキャリア・ワイヤレス遠隔通信ネットワークが、前記遠隔通信ネットワークのセクタ内で複数の無線周波数搬送波上で同時に信号を送信および受信するように動作可能な基地局およびユーザ機器を備え、
前記トリガリング・イベントを示すトリガリング情報を受信するように動作可能な受信ロジックと、
所定の第２のしきい値を超える測定可能特性を有すると判定された搬送波に関する情報を受信するように動作可能な搬送波受信ロジックと、
前記所定の第２のしきい値を超える測定可能特性を有すると判定された搬送波に関する前記情報、および前記トリガリング情報に応答して移送通知を生成するように動作可能な移送通知生成ロジックと、
アンカ搬送波ステータスの、前記所定の第２のしきい値を超える測定可能特性を有すると判定された搬送波のうちの１つへの移送を指令する前記移送通知を送信するように動作可能な移送通知伝送ロジックと
を備えるネットワーク・ノードを提供する。
【００６９】
第７の態様は、ネットワーク・ノード、具体的にはネットワーク・コントローラによって実装されるときに第５の態様の方法が特に有利であることを認識する。さらに、第５の態様の方法ステップに対応する装置特徴を第７の態様の実施形態によって提供できることを理解されよう。
【００７０】
第５の態様の方法を不要な適合なしにユーザ機器、または基地局で実装することが可能であることも理解されよう。
【００７１】
本発明の別の特定の好ましい態様を添付の独立請求項および従属請求項で述べる。従属請求項の特徴は、独立請求項の特徴と適宜組み合わせることができ、特許請求の範囲で明示的に述べた以外のものと組み合わせてもよい。
【００７２】
次に、添付の図面を参照しながら本発明の実施形態をさらに説明する。
【図面の簡単な説明】
【００７３】
【図１】一実施形態による遠隔通信ネットワークの主な構成要素を示す図である。
【図２】図１の遠隔通信ネットワークで使用されるユーザ機器の構成要素を示す図である。
【図３】図１の遠隔通信ネットワークで使用される基地局の構成要素を示す図である。
【図４】図１の遠隔通信ネットワークで使用されるネットワーク・コントローラの構成要素を示す図である。
【図５】図１の遠隔通信ネットワークで使用されるユーザ機器、基地局、およびネットワーク・コントローラの主な処理ステップを示す図である。
【図６】移送トリガ・イベントの一例のグラフである。
【図７】現実的な移送シナリオの略図表現である。
【図８】図７で示されるシナリオでの移送トリガ・イベントの第２の例のグラフである。
【発明を実施するための形態】
【００７４】
図１に、一実施形態によるワイヤレス遠隔通信システム１０を示す。ユーザ機器５０は、ワイヤレス遠隔通信システムの中を動き回る。無線カバレッジ・エリア３０をサポートする基地局２０が設けられる。ユーザ機器５０に広いカバレッジ・エリアを与えるために、そのようないくつかの基地局２０が設けられ、地理的に分散される。ユーザ機器が基地局３０によってサービスされるエリア内にあるとき、関連する無線リンクを介してユーザ機器と基地局との間で通信を確立することができる。各基地局は通常、サービス３０の地理的エリア内のいくつかのセクタをサポートする。
【００７５】
通常、基地局内の異なるアンテナが、それぞれの関連するセクタをサポートする。したがって、各基地局２０は複数のアンテナを有し、異なるアンテナを通じて送られる信号は、セクタ化手法を提供するために電子的に重み付けされる。もちろん、図１は、典型的な通信システム内に存在することのできるユーザ機器および基地局の総数のうちの小さいサブセットを示すことを理解されよう。
【００７６】
ワイヤレス通信システムは無線ネットワーク・コントローラ（ＲＮＣ）４０によって管理される。無線ネットワーク・コントローラ４０は、バックホール通信リンク６０を介して複数の基地局と通信することによってワイヤレス通信システムの動作を制御する。ネットワーク・コントローラはまた、各基地局を介してユーザ機器５０とも通信し、したがってワイヤレス通信全体を効果的に管理する。
【００７７】
マルチキャリア・システムでは、基地局によってサービスされる各セクタは、それに関連付けられるいくつかの搬送周波数または「搬送波」を有することができる。搬送波または搬送波によってサポートされるセルは、セクタと同じ地理的領域をカバーする。各セルは、異なる搬送周波数によってサービスされる。したがって、シングル・キャリア・システムでは、セクタは１つのセルまたは搬送周波数だけを有するので、セルはセクタと同等であることを理解されよう。それでも、マルチキャリア・ネットワークでは、各セクタはいくつかのセルを含むことができ、各セルは、異なる搬送周波数によって同時にサービスされる。
【００７８】
無線ネットワーク・コントローラ６０は、基地局２０によってサポートされるセクタ間の地理的関係についての情報を含むネイバー・リストを維持する。さらに、無線ネットワーク・コントローラ６０は、ワイヤレス通信システム１０内のユーザ機器５０の位置に関する情報を提供する位置情報を維持する。無線ネットワーク・コントローラは、回線交換網およびパケット交換ネットワークを介してトラフィックをルーティングするように動作可能である。したがって、無線ネットワーク・コントローラが通信することのできるモバイル交換センタが設けられる。モバイル交換センタは、公衆交換電話網（ＰＳＴＮ）７０などの回線交換網と通信することができる。同様に、ネットワーク・コントローラは、サービス汎用パッケージ無線サービス・サポート・ノード（ＳＧＳＮ）およびゲートウェイ汎用パケット・サポート・ノード（ＧＧＳＮ）と通信することができる。ＧＧＳＮは、例えばインターネットなどのパケット交換コアと通信することができる。
【００７９】
ユーザ機器５０は通常、ワイヤレス遠隔通信ネットワーク内で情報およびデータを再ルーティングすることができるように基地局２０に情報およびデータを送信する。ユーザ機器は、例えば、ユーザが機器を使用して通話または他のデータを行っているときに、テキスト・メッセージ、音声情報を中継するために基地局にデータを送信する必要があることがある。基地局２０は、無線ネットワーク・コントローラ４０によって設定されるパラメータと共に、ワイヤレス遠隔通信ネットワーク１０の動作を最適化することを目標とする方式でユーザ機器にリソースを割り振る。
【００８０】
無線リンクは、ユーザ機器５０と基地局のセルとの間の専用接続である。こうした専用無線リンクは、ユーザ機器が「セルＤＣＨ」状態にあるときに形成される。ユーザ機器がテキスト・メッセージや音声情報などの情報を基地局に送信していないとき、ユーザ機器はいわゆる「アイドル」状態にある。ユーザ機器が基地局に送信するための情報を有するとき、ユーザ機器は、その中で動作する接続状態を選ぶ。「セルＤＣＨ」状態にあるとき、ユーザ機器は、高速アップリンク・パケット・アクセス無線リソースを使用して、高アップリンク・スループットを達成することができる。
【００８１】
ユーザ機器はアップリンクおよびダウンリンク無線リンクを有する。ダウンリンク（基地局とユーザ機器との間の接続）無線リンク障害が発生したとき、ユーザ機器は無線リンク障害を宣言し、セルＤＣＨ状態から離れる。より具体的には、ユーザ機器がセルＤＣＨ状態から離れ、高速アップリンク・パケット・アクセス・モードで動作する能力を失った場合である。マルチキャリア・システムでは、各搬送波は、基地局からユーザ機器への独立したダウンリンク無線リンクを有する。各搬送波はユーザ機器に対する異なる無線伝播経路を有する可能性が高いので、こうしたダウンリンク無線リンクは独立して管理される。
【００８２】
マルチキャリア・システムでは、搬送波のうちの１つがいわゆるアンカ搬送波または主搬送波として働くことが合意されている。アンカ搬送波は、機能的には、モビリティ・イベントおよびハンドオーバを決定する基礎として使用されるように動作する。前述のように、ワイヤレス遠隔通信ネットワーク内のユーザ機器の状態が、無線ネットワーク・コントローラによってアンカ搬送波上で求められる。ユーザ機器が基地局のセクタ間、または隣接する基地局のセクタ間を移動するときはいつでも、無線ネットワーク・コントローラに通知され、無線ネットワーク・コントローラは、こうしたモビリティ・イベントが指摘され、効率的に処理されるように基地局およびユーザ機器と通信する。
【００８３】
マルチキャリア・システムでは、こうしたモビリティ・イベントがアンカ搬送波上を求めることが提案される。アンカ搬送波がない場合、または無線リンク障害がアンカ搬送波上で発生したとき、ワイヤレス遠隔通信ネットワークは、ユーザ機器のアイテムの状態の可視性をもはや有さない。このことは、マルチキャリア・システム内で提供される別の搬送波が依然として動作可能であるかどうかに関わらず生じることになる。
【００８４】
一般には、非アンカ搬送波ダウンリンク無線リンクに障害が発生すると共に、アンカ搬送波ダウンリンク無線リンクが依然としてアクティブである場合、アイテム・ユーザ機器は無線リンク障害を宣言しないが、アンカ搬送波を介してアクティブな専用リンク・セルＤＣＨ状態で引き続き動作することが合意されている。しかし、アンカ搬送波ダウンリンク無線リンクに障害が発生した場合、第２の搬送波ダウンリンク無線リンクが利用可能な場合であっても、ユーザ機器が無線リンク障害を宣言することも提案されている。この結果、ユーザ機器は無線リンク障害を宣言し、その専用セルＤＣＨ状態から離れ、その高速アップリンク・パケット・アクセス無線リソースを失い、ユーザに対するサービスが中断する。
【００８５】
マルチキャリア・ネットワークでネットワークがアンカ搬送波ステータスをある搬送波から別の搬送波に移送することを可能にすることが可能である場合、エンド・ユーザに対する実質上中断されないサービスを維持することが可能となることが認識されている。アンカ搬送波ステータスの移送は、ユーザに提供されるサービスを引き続き中断することを可能にし、ユーザ機器は無線リンク障害を宣言せず、接続されたセルＤＣＨ状態から離れない。その結果、ユーザ機器は、高速アップリンク・パケット・アクセス無線リソースを失わず、ユーザに対するサービスが維持される。
【００８６】
図２に、そのようなアンカ・ステータスの移送機能を利用する、図１の遠隔通信ネットワークで使用されるユーザ機器の主な構成要素を示す。ユーザ機器５０は、受信アンテナ２００、送信アンテナ２１０、およびユーザ機器コントローラ２２０を備える。受信アンテナ２００は、複数の搬送波上で伝送を同時に受信するように動作可能である。図示する実施形態では、受信アンテナは、Ｃ１およびＣ２で示される、ダウンリンク搬送波上で送信されたデータおよび情報を受信するように動作可能である。この実施形態では、受信アンテナは２つの搬送周波数を受信するが、一般には、受信アンテナは３つ以上の搬送波上で情報を受信することが可能である。
【００８７】
送信アンテナ２１０は、ユーザ機器５０からの情報を複数の搬送波上で同時に送信するように動作可能である。図２に示す実施形態では、送信アンテナは、搬送波Ｃ１’およびＣ２’上でデータおよび情報を送信するように分離可能である。
【００８８】
ユーザ機器コントローラ２２０は、トリガリング・イベント受信ロジック２３０、トリガ情報伝送ロジック２４０、搬送波評価ロジック２５０、移送受信ロジック２６０、および移送実装ロジック２７０をさらに備える。受信アンテナ２００は、トリガリング・イベント受信ロジック２３０、搬送波評価ロジック２５０、および移送受信ロジック２６０と通信するように動作可能である。送信アンテナ２１０は、トリガ情報伝送ロジック２４０、搬送波評価ロジック２５０、および移送実装ロジック２７０から信号および命令を受信するように動作可能である。図２のユーザ機器の動作の方法を、以下の図５で示す主な処理ステップに関連してより詳細に説明する。
【００８９】
図３に、図１の遠隔通信ネットワークで使用される基地局の構成要素を示す。図３の基地局２０は、受信アンテナ３００、送信アンテナ３１０、および基地局コントローラ３２０を備える。基地局は専用物理ケーブリング・リンクをさらに備え、専用物理ケーブリング・リンクは、基地局２０を無線ネットワーク・コントローラにリンクする。
【００９０】
受信アンテナ３００は、図２に示すユーザ機器５０から信号Ｃ１’およびＣ２’を同時に受信するように動作可能である。送信アンテナ３１０は、複数の搬送周波数（このケースでは、Ｃ１およびＣ２）上でユーザ機器に信号を同時に送信するように動作可能である。
【００９１】
基地局コントローラ３２０は、トリガ情報受信ロジック３３０、トリガ情報伝送ロジック３４０、搬送波評価受信ロジック３５０、搬送波評価伝送ロジック３６０、移送受信ロジック３７０、および移送実装ロジック３８０をさらに備える。受信アンテナは、トリガ情報受信ロジックおよび搬送波評価受信ロジックと通信するように動作可能である。トリガ情報伝送ロジック３４０および搬送波評価伝送ロジック３６０は、専用リンクを介してネットワーク・コントローラ４０と通信するように動作可能である。ネットワーク・コントローラは、移送受信ロジック３７０と通信するように動作可能である。移送実装ロジック３８０は、送信アンテナ３１０と通信するように動作可能である。基地局２０の動作を、図５の処理ステップに関連してさらに説明する。
【００９２】
図４に、図１の遠隔通信ネットワークで使用されるネットワーク・コントローラの構成要素を示す。ネットワーク・コントローラ４０は、トリガリング・イベント受信ロジック４１０、搬送波受信ロジック４２０、移送通知生成ロジック４３０、および移送通知伝送ロジック４４０を備える。トリガリング・イベント受信ロジック４１０および搬送波受信ロジック４２０は、基地局２０から信号を受信するように動作可能である。トリガリング・イベント受信ロジック４１０および搬送波受信ロジック４２０は、移送通知生成ロジック４３０と通信するように動作可能である。移送通知生成ロジックは、トリガリング・イベントおよび他の搬送波の評価を示す信号を受信し、移送通知を生成するように動作可能である。移送通知が生成されると、移送通知生成ロジック４３０は移送通知伝送ロジック４４０と通信し、信号が生成され、基地局コントローラ３２０に送信される。
【００９３】
図５に、図１の遠隔通信ネットワークで使用されるユーザ機器、基地局、およびネットワーク・コントローラの主な処理ステップを示す。マルチキャリア・ワイヤレス遠隔通信ネットワークでアンカ搬送波ステータスを第１の搬送波から別の搬送波に移送する主な処理ステップを、概略的に方法５００として示す。現アンカ搬送波の測定可能特性が所定の第１のしきい値より下に低下した場合、ユーザ機器５０、より具体的にはトリガリング・イベント受信ロジック２３０が、そのトリガリング・イベントの詳細を受信する。そのステップを図５のステップ５１０として示す。トリガリング・イベント受信ロジック２３０がトリガリング・イベントの詳細を受信すると、トリガリング・イベント受信ロジック２３０は、その情報をトリガ情報伝送ロジック２４０に渡し、トリガ情報伝送ロジック２４０は、情報をデータ・パケットで送信アンテナ２１０に渡す。トリガリング・イベントの詳細を提供するステップを図５のステップ５１５として示す。
【００９４】
図３、２、および５に示す実施形態では、ユーザ機器は、トリガリング・イベントに関するデータのパケットを基地局２０に送る。情報のパケットが基地局受信アンテナ３００によって受信され、トリガ情報受信ロジック３３０に送られる。トリガリング・イベントの詳細を受信するステップを図５のステップ５２０として示す。
【００９５】
ユーザ機器によって基地局に提供されるデータのパケットが基地局２０によって開かれず、または解釈されないことがある。情報を単に、基地局２０からネットワーク・コントローラ４０に直接送ることができる。しかし、基地局は、それ自体でトリガリング・イベントの詳細を解釈し、ネットワーク・コントローラ４０にトリガリング・イベントの特定の詳細を提供するように動作することができる。どちらの場合でも、ネットワーク・コントローラ４０に詳細（パケット形式であっても、解釈したデータ形式であっても）を提供するステップは、図５のステップ５２５で示される。
【００９６】
基地局２０からネットワーク・コントローラ４０に提供される詳細は、専用物理リンクを介して送られる。ネットワーク・コントローラ・トリガリング・イベント受信ロジック４１０は、トリガリング・イベントに関する基地局からの情報を受信する。ネットワーク・コントローラで受信するステップを図５のステップ５３０で示す。
【００９７】
トリガリング・イベントが発生したとトリガリング・イベント受信ロジックが判定した場合、ユーザ機器に設けられた搬送波評価ロジック２５０が、マルチキャリア・システムで提供される他のどの搬送波が第２のしきい値より上の測定可能特性を有するかを判定するように働く。すなわち、ユーザ機器は、それとの間でアクティブなアップリンクまたはダウンリンクを有する他のすべての搬送波を調べ、具体的には、ダウンリンク搬送波が第２のしきい値より上の測定可能特性を有するかどうかを判定する。その判定するステップを図５のステップ５３５として示す。
【００９８】
次いで、判定した情報を、ユーザ機器５０の搬送波評価伝送ロジック２６０および送信アンテナ２１０によって基地局に提供する。このステップを図５のステップ５４０として示す。基地局受信アンテナ３００は、前記搬送波の特性を示すユーザ機器５０からの信号を受信する。基地局は、単に情報が受信されたことを判定することができ、またはユーザ機器によって提供された情報を開き、独立して値を生成することができる。どちらの場合でも、基地局は、他のどの搬送波が第２のしきい値より高い測定可能特性を有するかを示し決定する情報を有する。そのステップを図５のステップ５４５として示す。
【００９９】
その情報がユーザ機器５０によって基地局２０に提供されると、基地局２０は、ネットワーク・コントローラ４０に情報を提供するように働く。そのステップを図５のステップ５５０として示す。基地局は、専用リンクを介してネットワーク・コントローラに情報を送信する。搬送波受信ロジック４２０がネットワーク・コントローラ４０に設けられ、ユーザ機器５０にとって利用可能な代替搬送波に関する情報を受信するように働く。その情報を受信するステップを図５のステップ５５５で示す。
【０１００】
ネットワーク・コントローラ４０がトリガリング・イベントを示す情報を受信し（ステップ５３０）、ユーザ機器５０にとって利用可能な代替搬送波に関する情報も受信する（ステップ５５５）場合、ネットワーク・コントローラ４０の移送通知生成ロジック４３０は、移送通知を生成するように働く。移送通知を生成するステップを図５のステップ５６０として示す。
【０１０１】
図示する特定の実施形態では、移送通知が、移送通知伝送ロジック４４０によって専用リンクを介して基地局コントローラ３２０に送信される。移送通知を送信するステップを図５のステップ５６５として示す。
【０１０２】
基地局２０は、ステップ５７０としてネットワーク・コントローラ４０によって生成された移送通知を受信し、移送実装ロジック３８０を使用することによってダウンリンク・アンカ搬送波ステータスを移送する。アンカ搬送波ステータスを移送するステップをステップ５７５として示す。基地局は、ネットワーク・コントローラ４０によって生成された移送通知をユーザ機器に中継する。基地局は単に、ステップ５７５としてそれ自体のアンカ搬送波ステータスを移送することによってこのことを行うことができる。したがって、ステップ５８０で、ユーザ機器は、新しいダウンリンク搬送波上でアンカ搬送波情報を受信し、したがってアンカ搬送波が変化したことを示す表示または信号を間接的に受信することができる。あるいは、基地局２０は、ネットワーク・コントローラ４０からユーザ機器５０に移送通知を中継するように働くことができる。
【０１０３】
ユーザ機器５０の移送受信ロジック２７０が移送通知を示す生成信号を受信したことに応答して、移送実装ロジック２８０は、アップリンク搬送波でアンカ搬送波ステータスを移送するように働く（ステップ５８５）。
【０１０４】
図６は、移送トリガ・イベントの一例のグラフである。図６は、ユーザ機器５０のトリガリング・イベント受信ロジック２３０によって検出されるトリガリング・イベントのタイプをより詳細に示す。図６は、垂直軸が測定量であり、水平軸が時間であるグラフである。測定量は、いくつかの測定可能量のいずれか１つでよい。しかし、参照しやすいように、この場合は、測定量がユーザ機器５０の受信アンテナ２００上で受信されるパイロット・チャネル信号強度であると仮定する。ユーザ機器５０は、アクティブなダウンリンク無線リンク上のダウンリンク搬送波測定を継続的に実施する。ユーザ機器５０は、受信アンテナ２００によって受信されている各搬送波についてそれを行う。図６では、ユーザ機器が、無線ネットワーク・コントローラ４０が関係する限り、第１の基地局に接続される。その第１の基地局が、ＮＢ１という表示によって示されている。ユーザ機器が２つの搬送波に関するパイロット・チャネル信号強度を第１の基地局から受信し、測定していることがわかる。こうした搬送波のうちの１つが、基地局間、およびセクタ間のモビリティ・イベントがそれに基づくアンカ搬送波として、無線ネットワーク・コントローラによって指定される。ユーザ機器５０はまた、破線で示される第２の搬送波上で基地局ＮＢ１から情報を受信している。
【０１０５】
グラフはまた、ユーザ機器５０が第２の基地局である基地局ＮＢ２から信号を受信していることも示す。この場合も、この基地局はデュアル・キャリア基地局であり、アンカ搬送周波数（実線）および破線で示される第２の搬送波上で送信している。図示する例でＮＢ１およびＮＢ２によって提供される「アンカ」搬送波は、同一の搬送周波数上にある。図示する例でＮＢ１およびＮＢ２によって提供される第２の搬送波も、共通の搬送周波数を有する。
【０１０６】
ユーザ機器は、搬送波間ハンドオーバ（または「トリガ」）条件が生じるときを基地局に通知するように動作可能である。このことは、トリガリング・イベントを監視することによって達成される。図６に示すケースでは、そのトリガリング・イベントは、測定量、このケースではアンカ搬送波の最良のセルのパイロット信号強度（図示するケースではＮＢ１によって提供される）が絶対しきい値よりも弱く、第２の搬送波の最良のセルの測定量が絶対しきい値よりも高い（図示するケースではＮＢ２によって提供される）ときに生じる。絶対しきい値または所定の値は、ユーザ機器５０が無線リンクを維持するのに必要な最小レベルよりもあるマージンだけ良好に設定される。ユーザ機器によって生成される測定レポートは、第２の搬送波の最良のセルに関する情報を含む。
【０１０７】
図６の実線は、第１のＮｏｄｅ  Ｂおよび第２のＮｏｄｅ  Ｂからのアンカ搬送波に関する測定値を表し、破線は、基地局１および基地局２上の第２の搬送波から求めた測定値である。話を簡単にするために、この図で示す例では、ヒステリシスおよびトリガのための時間はゼロである。この例では、第１の基地局ＮＢ１のアンカ搬送波が絶対しきい値より下に低下したと判定した時点で、ユーザ機器は、第１の基地局ＮＢ１と第２の基地局ＮＢ２の両方からの第２の搬送周波数が絶対しきい値よりも上であるという表示を受信している。その段階で、ユーザ機器は、トリガリング・イベントおよび第２の搬送波によって提供されるセルのステータスの詳細を生成し、こうした詳細を基地局に送り、基地局は、その情報をネットワーク・コントローラに中継する。その情報の受信時に、ネットワーク・コントローラは移送通知を生成し、ＮＢ１に関する元のアンカ搬送波によって提供されるアンカ搬送波ダウンリンクに障害が発生する前に、基地局を介して、このユーザ機器に関するアンカ搬送波ステータスの、ＮＢ２によって提供される第２の搬送波への搬送波間ハンドオーバを実施する。
【０１０８】
図７に、アンカ搬送波ステータスを移送することが必要であることのある現実的なシナリオの表現を概略的に示す。図７に示すシナリオでは、ユーザ機器５０は、第１の基地局２０ａから第２の基地局２０ｂに移動している。第１の基地局２０ａは、デュアル・キャリア高速アップリンク・パケット・アクセス・ネットワークを操作しており、すなわち、２つの搬送波上で同時に送信しており、それらの搬送波は、第１の基地局上のアンカ搬送波がＣ１として示され、第１の基地局上で提供される第２の搬送波がＣ２として示される。第２の基地局２０ｂは、Ｂ１として示されるシングル・キャリア上で動作している。ユーザ機器５０は、第１の基地局２０ａによってサービスされる地理的エリアから、第２の基地局２０ｂによってサービスされる地理的エリアに移動している。
【０１０９】
図８に、図７で概略的に示されるシナリオでアンカ搬送波ステータスの移送がどのように生じることがあるかを図式で示す。この例では、ヒステリシスおよびトリガのための時間はゼロである。絶対しきい値は、ダウンリンク無線リンク接続がユーザ機器５０との接続を首尾よく維持するのに必要な測定量に関するある程度のマージンと共に設定される。搬送波Ｃ１とＣ２の両方についての第１の基地局２０ａに関する測定量は、ユーザ機器５０が基地局２０ａによってサービスされる地理的エリアから離れるにつれて時間的に低下する。搬送波Ｃ１とＣ２の両方についての測定量は、絶対しきい値より下に低下する。その時点で、ユーザ機器５０によって監視される、搬送波Ｂ１上の第２の基地局２０ｂに関する測定量は、依然として絶対しきい値より下である。
【０１１０】
この実施形態では、アンカ搬送波移送に関するトリガリング・イベントは、現アンカ搬送波の測定量が所定のしきい値より下に低下すること、およびハンドオーバするための可視搬送波がないことを必要とする。Ｃ１の測定量が絶対しきい値より下に低下したとき、アンカ搬送波ステータスをハンドオーバするための可視セルがないので、完全なトリガリング・イベントがない。ユーザ機器５０が第１の基地局２０ａからさらに離れ、第２の基地局２０ｂによってサービスされる地理的エリアの中により深く移動するにつれて、搬送波Ｂ１に関する測定量が改善し、絶対しきい値よりも高くなる。この時点で、アンカ搬送波は依然として絶対しきい値未満であり、この実施形態によるトリガリング・イベントに関する両方の条件が満たされ、したがってトリガリング・イベントが発生する。Ｂ１に関する情報がネットワーク・コントローラに送られ、次いでネットワーク・コントローラは、第２の搬送周波数、この場合はＢ１上で動作する第２の基地局への搬送波間ハンドオーバを実施する。ネットワーク・コントローラは、Ｃ１からＢ１への搬送波間ハンドオーバを実施する。次いでユーザ機器は、基地局２０ｂでサービスされる単一セル・モードで動作し、セルＤＣＨ状態を維持し（無線リンク障害は宣言されない）、したがって、アンカ・ダウンリンク無線リンクＣ１に障害が発生する前に、ユーザ機器が第２の搬送波に首尾よくハンドオーバされる。
【０１１１】
様々な上述の方法のステップをプログラムされたコンピュータで実施できることを当業者は直ちに理解されよう。本明細書では、ある実施形態は、機械またはコンピュータ可読であり、命令の機械実行可能またはコンピュータ実行可能プログラムを符号化するプログラム記憶装置、例えばデジタル・データ記憶媒体をも包含するものとし、前記命令は、前記上述の方法のステップの一部またはすべてを実施する。プログラム記憶装置は、例えば、デジタル・メモリ、磁気ディスクや磁気テープなどの磁気記憶媒体、ハード・ドライブ、または光学的に可読なデジタル・データ記憶媒体でよい。実施形態はまた、前述の方法の前記ステップを実施するようにプログラムされたコンピュータを包含するものとする。
【０１１２】
「プロセッサ」または「ロジック」と標示した任意の機能ブロックを含む、図に示す様々な要素の機能は、専用ハードウェア、ならびに適切なソフトウェアに関連してソフトウェアを実行することのできるハードウェアの使用によって提供することができる。プロセッサによって提供されるとき、機能は、単一の専用プロセッサ、単一の共有プロセッサ、または一部が共有されることのある複数の個々のプロセッサで提供することができる。さらに、「プロセッサ」または「コントローラ」または「ロジック」という用語の明示的な使用は、ソフトウェアを実行することのできるハードウェアをもっぱら指すと解釈されるべきではなく、限定はしないが、デジタル信号プロセッサ（ＤＳＰ）ハードウェア、ネットワーク・プロセッサ、特定用途向け集積回路（ＡＳＩＣ）、フィールド・プログラマブル・ゲート・アレイ（ＦＰＧＡ）、ソフトウェアを格納する読取り専用メモリ（ＲＯＭ）、ランダム・アクセス・メモリ（ＲＡＭ）、および不揮発性ストレージを暗黙的に含むことがある。従来型および／またはカスタムの他のハードウェアも含まれることがある。同様に、図に示す任意の交換機は概念的なものに過ぎない。その機能は、プログラム・ロジックの操作、専用ロジック、プログラム制御と専用ロジックの対話により、さらには手動によって実施することができ、文脈からより具体的に理解できるように、特定の技法が実装者によって選択可能である。
【０１１３】
本明細書の任意のブロック図は、本発明の原理を実施する例示的回路の概念図を表すことを当業者は理解されたい。同様に、任意のフローチャート、流れ図、状態遷移図、擬似コードなどは、実質上コンピュータ可読媒体で表すことができ、コンピュータまたはプロセッサが明示的に示されているか否かに関わらず、そのようなコンピュータまたはプロセッサでそのように実行することのできる様々なプロセスを表すことを理解されよう。
【０１１４】
説明および図面は本発明の原理を示すに過ぎない。したがって、本明細書に明示的に説明または図示されていないが、本発明の原理を実施し、本発明の趣旨および範囲内に含まれる様々な構成を当業者が考案できることを理解されよう。さらに、本明細書で説明したすべての例は原理的に、当技術分野を発展させることに対して本発明者（等）が寄与する本発明の原理および概念を読者が理解するのを助ける教育目的のためだけのものであることを明確に意図し、そのように具体的に説明した例および条件限定に対する限定なしに解釈されるべきである。さらに、本発明の原理、態様、および実施形態、ならびにその特定の例を説明する本明細書のすべての陳述は、その均等物を包含するものとする。
【図１】
2013502119.tif 000003
【図２】
2013502119.tif 000004
【図３】
2013502119.tif 000005
【図４】
2013502119.tif 000006
【図５】
2013502119.tif 000007
【図６】
2013502119.tif 000008
【図７】
2013502119.tif 000009
【図８】
2013502119.tif 000010
【国際調査報告】
2013502119.tif 000011
2013502119.tif 000012
2013502119.tif 000013